(57)【特許請求の範囲】
【請求項１】
本体と、
前記本体に装着される保護カバーと、
前記本体と前記保護カバーとの間に設置され、且つ前記本体及び前記保護カバーに対して相対的に摺動するスライド要素と、
前記スライド要素と前記保護カバーとを弾性的に連結させる弾性要素と、
を備え、前記スライド要素は、遮蔽部及び該遮蔽部の両側に設置される２つの走行部を備え、前記走行部は、前記本体と前記保護カバーとの間に設置されると共に前記本体及び前記保護カバーに対して摺動可能であり、前記遮蔽部及び前記走行部は、２種類の異なるプラスチック材料を、射出成型して形成される一体成型体であって、前記走行部の材料は、電気めっきを施すことができない材料であって、前記遮蔽部の材料は、電気めっきを施すことができる材料であることを特徴とするスライド機構。
【請求項２】
前記走行部の材料が、ポリカーボネートとポリ四フッ化エチレンとの混合物であることを特徴とする請求項１に記載のスライド機構。
【請求項３】
前記ポリ四フッ化エチレンの含有量が５〜１５％であることを特徴とする請求項２に記載のスライド機構。
【請求項４】
前記走行部の材料が、ポリカーボネートとシリコンオイルとの混合物であることを特徴とする請求項１に記載のスライド機構。
【請求項５】
前記遮蔽部の材料が、アクリロニトリル・ブタジエン・スチレン共重合体、或いはアクリロニトリル・ブタジエン・スチレン共重合体とポリカーボネートとの混合物であることを特徴とする請求項１に記載のスライド機構。
【請求項６】
前記保護カバーは、透明な材料によって製作され、且つ表裏を成す第一表面及び第二表面を備え、前記第一表面の周縁に沿って結合区域が形成されていることを特徴とする請求項１に記載のスライド機構。
【請求項７】
前記本体は、矩形のフレーム構造であって、
その上・下表面を貫通し、且つ相隣接する第一窓部及び第二窓部と、
対向し且つ平行する２つの側壁と、
前記２つの側壁に連接する第一端部及び第二端部と、
前記第一窓部及び第二窓部を区画し、且つ前記第一端部及び第二端部に平行な区画部と、
を備えることを特徴とする請求項６に記載のスライド機構。
【請求項８】
前記各側壁は、前記第一窓部を囲む第一窓部壁、及び前記第二窓部を囲む第二窓部壁を備え、
前記各第二窓部壁は、結合帯、及び該結合帯から前記第二窓部の内部へ突設したスライドレールを備え、
前記各第二窓部の結合帯は、前記第一端部、及び前記区画部まで延在して環状を成し、且つ前記保護カバーの結合区域と結合して前記保護カバーを前記本体に固着させることを特徴とする請求項７に記載のスライド機構。
【請求項９】
前記各スライドレールと前記結合帯とは、該両者それぞれと垂直な連結壁によって連結され、
前記スライド要素の走行部は、前記スライドレール及び前記保護カバーの第一表面に接合されて摺動することを特徴とする請求項８に記載のスライド機構。
【請求項１０】
前記弾性要素の一端にリング部が設置され、他端に鉤部が設置されることを特徴とする請求項１に記載のスライド機構。
【請求項１１】
前記保護カバーに貫通孔が設置され、
前記保護カバーと対向する前記遮蔽部の表面に固定ピンが設置され、
前記弾性要素のリング部が前記遮蔽部の固定ピンに套設され、前記鉤部が前記保護カバーの貫通孔に挿入されることを特徴とする請求項１０に記載のスライド機構。
【発明の詳細な説明】
【技術分野】
【０００１】
本発明は、スライド機構に関し、特に撮影レンズにおける窓部のスライド機構に関するものである。
【背景技術】
【０００２】
現在、内蔵型カメラを有する携帯式電話などのような電子装置のハウジングには、前記カメラに対応する箇所に取付け孔が設置されている。前記取付け孔には、内蔵される撮影レンズを保護するための透明な保護カバーが設置される。前記保護カバーを容易に取り付けるために、前記保護カバーの面積は前記カメラの撮影レンズ部分の面積より大きく設定される。前記保護カバーにおける、前記カメラの撮影レンズに対応する位置に透光部が設置される。前記保護カバーの、前記透光部以外の部分には、装飾性図案、或いは製品のトレードマークが印刷される。前記保護カバーを装着する時、一般的に、前記保護カバーが固定された外框は、前記取付け孔に係合されるとともに、携帯式電話などのような電子装置のハウジングにも結合される。前記保護カバーの透光部が、雰囲気、或いは雰囲気中の不潔物に汚染されて、撮影効果が悪くなることを防止するために、前記保護カバーと外框との間に、スライド要素を設置する。前記スライド要素は、前記外框及び保護カバーに対して相対的に摺動することができ、走行部及び遮蔽部を備える。撮影しない場合、スライド要素を保護カバーの透光部に移動させて、前記保護カバーの透光部に対して、遮蔽及び保護を行う。撮影する場合、スライド要素を保護カバーの他端に移動させて、光線が保護カバーの透光部を介してレンズモジュールに入射されて、撮影を進行することができる。
【０００３】
前記スライド要素は、一般的にプラスチック材料の射出成型によって形成される。前記スライド要素に金属質感を与えるために、前記スライド要素に対して電気めっきを施すが、前記スライド要素の走行部にも金属層が被覆されるため、前記スライド要素が摺動する場合、外框及び保護カバーに対する摩擦係数が大きくなり、従って滑らかに摺動することができず、且つ前記スライド要素の走行部も破損され易く、電子装置の正常な使用に影響を与える。
【０００４】
前記問題を解決するために、前記スライド要素の走行部に対して、電気めっき防止処理を施すことができるが、電気めっきを終了した後、前記走行部の電気めっき防止層を剥離しなければならない。したがって、製品の製造工程が増加し、さらに前記走行部に被覆されている電気めっき防止層を完全に剥離する事が困難であり、製品の外観、及び正常な使用に悪影響を与える。
【発明の概要】
【発明が解決しようとする課題】
【０００５】
以上の問題点に鑑みて、本発明は、摺動効果に優れるスライド機構を提供することを目的とする。
【課題を解決するための手段】
【０００６】
本発明に係るスライド機構は、本体と、前記本体に装着される保護カバーと、前記本体と前記保護カバーとの間に設置され、且つ前記本体及び前記保護カバーに対して相対的に摺動するスライド要素と、前記スライド要素と前記保護カバーとを弾性的に連結させる弾性要素と、を備える。前記スライド要素は、遮蔽部及び該遮蔽部の両側に設置される２つの走行部を備える。前記走行部は、前記本体と前記保護カバーとの間に設置されると共に前記本体及び前記保護カバーに対して摺動可能であり、前記遮蔽部及び前記走行部は、２種類の異なるプラスチック材料を射出成型して形成される一体成型体である。前記走行部の材料は、電気めっきを施すことができない材料であって、前記遮蔽部の材料は、電気めっきを施すことができる材料である。
【発明の効果】
【０００７】
本発明のスライド機構において、スライド要素の走行部及び遮蔽部は、異なる材料であって、射出成型方法によって形成される一体成型体である。前記走行部の材料は、摺動性能に優れ、且つ化学的に金属処理して電気めっきを施すことができない材料であるから、本体及び保護カバーに対する、前記スライド要素の摩擦係数が最小となり、したがって前記スライド要素は、滑らかに摺動し、摺動する時の２つの走行部の破損が生じ難くなり、使用効果が最も優れる。また、遮蔽部は、化学的に金属処理して電気めっきを施すことができる材料を採用するが、走行部は、化学的金属処理して電気めっきを施すことができない材料を採用するから、前記遮蔽部に対して電気めっきを実施する場合、前記走行部に対して電気めっき防止処理を行う必要がなく、従って後工程である電気めっき防止層の剥離工程も省略することができ、製品の外観、及び正常な使用に悪影響を与える問題を解決し、前記スライド機構の生産コストを低くできる。
【図面の簡単な説明】
【０００８】
【図１】本発明に係るスライド機構の立体図である。
【図２】本発明に係るスライド機構の分解図である。
【図３】本発明に係るスライド機構を、他の視点から見た分解図である。
【図４】図２に示すスライド要素のＩＶ−ＩＶに沿う断面拡大図である。
【発明を実施するための形態】
【０００９】
以下、図面に基づいて、本発明に係るスライド機構に関して詳細に説明する。
【００１０】
図１は、本発明に係るスライド機構の立体図であって、図２は、本発明に係るスライド機構の分解図である。
【００１１】
図１及び図２を参照すると、本発明のスライド機構１００は、携帯式電話、又はカメラ等のような携帯式電子装置の撮影レンズの窓部におけるスライド機構１００である。前記スライド機構１００は、本体１０、スライド要素１２、保護カバー１４、及び弾性要素１６を備える。前記保護カバー１４は、前記本体１０に装着される。前記スライド要素１２は、前記本体１０と前記保護カバー１４との間で摺動可能に設置される。前記弾性要素１６は、前記スライド要素１２と前記保護カバー１４との間に設置され、且つ前記スライド要素１２及び前記保護カバー１４を弾性的に連接する。
【００１２】
前記本体１０は、プラスチック材料で射出成型される。前記プラスチック材料は、アクリロニトリル・ブタジエン・スチレン共重合体（ＡＢＳ）、或いはアクリロニトリル・ブタジエン・スチレン共重合体とポリカーボネート（ＰＣ）との混合物である。前記本体１０に金属質感を与えると共に静電気を防止するために、前記本体１０に電気めっきによって金属層を形成する。
【００１３】
前記本体１０は、略矩形のフレーム構造である。前記本体１０は、第一窓部１０１、２つの側壁１０２、第二窓部１０３、第一端部１０４、区画部１０６、及び第二端部１０８を備える。
【００１４】
前記第一窓部１０１及び前記第二窓部１０３は、前記本体１０の上・下表面を貫通し、且つ互いに隣接する。前記２つの側壁１０２は、互いに平行で、且つ前記本体１０の短手方向の両端に形成される。前記第一端部１０４及び第二端部１０８は、互いに平行で、且つ前記本体１０の長手方向の両端に形成される。前記区画部１０６は、前記第一端部１０４及び第二端部１０８に平行で、且つ前記第一窓部１０１及び第二窓部１０３を区画する。即ち、前記区画部１０６は、前記２つの側壁１０２、前記第一端部１０４及び第二端部１０８が囲んで形成した貫通空間を区画して、第一窓部１０１及び第二窓部１０３を形成する。前記第一窓部１０１に、カメラの閃光灯の保護要素を装着することができ、前記第二窓部１０３に、前記スライド要素１２、弾性要素１６及び保護カバー１４等を装着することができる。
【００１５】
図３は、本発明に係るスライド機構を、他の視点から見た分解図である。図３を参照すると、各側壁１０２は、前記第一窓部１０１を囲む第一窓部壁１０２２、及び前記第二窓部１０３を囲む第二窓部壁１０２４を備える。各第二窓部壁１０２４は、結合帯１０２６、及び前記結合帯１０２６から前記第二窓部１０３の内部に向かって突設するスライドレール１０２８を備え、前記結合帯１０２６及び前記スライドレール１０２８は、この両者それぞれと垂直な連結壁１０２７によって連結される。なお、前記第二窓部壁１０２４の結合帯１０２６は、前記第一端部１０４及び前記区画部１０６まで延在して環状を成し、前記保護カバー１４と固着し、前記保護カバー１４を前記本体１０に固定することに用いられる。
【００１６】
図４は、図２のスライド要素のＩＶ−ＩＶに沿う断面拡大図である。図２乃至図４を参照すると、前記スライド要素１２は、遮蔽部１２１、２つの走行部１２３、操作部１２５、固定ピン１２７、及び長状部１２９を備える。
【００１７】
前記２つの走行部１２３は、前記遮蔽部１２１の両側に設置される。前記スライド要素１２を摺動する場合、前記２つの走行部１２３は、前記本体１０の２つのスライドレール１０２８を介して摺動する。前記固定ピン１２７は、前記遮蔽部１２１において、前記保護カバー１４と対向する表面に設置され、前記弾性要素１６の一端（後述のリング部１６１）が前記固定ピン１２７に套設される。前記操作部１２５は、長状の凸部であって、前記遮蔽部１２１の他の表面に設置されて、前記スライド要素１２が前記本体１０の２つのスルライドレール１０２８で摺動することを補助するために設置したものである。前記長状部１２９は、前記１つの走行部１２３の端部から延在した長方体であって、上述した電子装置の内部に設置され、前記スライド要素１２の摺動運動に伴って、電子装置の内部で摺動することにより、カメラのスイッチを開閉する。
【００１８】
前記スライド要素１２の２つの走行部１２３、及び遮蔽部１２１は、２種類の異なる材料を、射出成型して形成される一体成型体である。前記遮蔽部１２１の表面に、電気めっきによって金属層を形成して、金属質感を与えると共に、静電気を防止する。
【００１９】
前記２つの走行部１２３の材料は、ポリカーボネートとポリ四フッ化エチレン（ＰＴＦＥ）との混合物、或いはポリカーボネートとシリコンオイル（Ｓｉｌｉｃｏｎｅ Ｏｉｌ）との混合物であって、共に、化学的に金属処理した後、電気めっきを施すことができない材料である。前記ポリカーボネートとポリ四フッ化エチレンとの混合物において、前記ポリ四フッ化エチレンの含有量は５〜１５％である。前記２つの走行部１２３の摺動性能を向上させ、本体１０の内部で滑らかに摺動させることができ、且つ２つの走行部１２の破損も生じ難くさせる。
【００２０】
前記遮蔽部１２１は、射出成型によって製作される。前記遮蔽部１２１の材料としては、化学的に金属処理した後、電気めっきを施すことができるアクリロニトリル・ブタジエン・スチレン共重合体、或いはアクリロニトリル・ブタジエン・スチレン共重合体とポリカーボネートとの混合物を採用する。
【００２１】
前記２つの走行部１２３は、電気めっきを施すことができない材料から製作されるため、前記スライド要素の遮蔽部１２１に対して電気めっきを施す時、前記２つの走行部１２３に対して電気めっき防止処理を施す必要がない。従って電気めっき防止処理工程、及び後工程である電気めっき防止層の剥離工程を省略することができる。アクリロニトリル・ブタジエン・スチレン共重合体の結合性が優れることから、本発明のスライド要素１２の射出成型において、遮蔽部１２１と２つの走行部１２３が堅固に結合される。
【００２２】
図２及び図３を参照すると、前記保護カバー１４は、ポリカーボネートのような透明なプラスチック材料で射出成型された略長方形の板である。前記保護カバー１４は、表裏を成す第一表面１４０及び第二表面１４２と、透光部１４１と、貫通孔１４３と、結合区域１４５と、欠口部１４６とを備える。
【００２３】
前記透光部１４１は、電子装置の内蔵カメラのレンズモジュール（未図示）と対応して、前記内蔵カメラのレンズモジュールに光線を入射させる。
【００２４】
前記貫通孔１４３には、前記弾性要素１６の他端（後述の鉤部１６３）が挿入される。
【００２５】
前記結合区域１４５は、前記第一表面１４０の周縁に沿って設置され、前記本体１０の結合帯１０２６に固着されて、前記保護カバー１４を前記本体１０に固定させる。
【００２６】
前記欠口部１４６は、前記保護カバー１４の１つの側壁に形成され、前記スライド要素１２の長状部１２９が、前記欠口部１４６と前記本体１０とによって形成された空間で摺動する。
【００２７】
前記第二表面１４２において、前記透光部１４１を除外した区域にインキ、製品のトレードマーク、或いは製品番号等を印刷することができる。勿論、前記第一表面１４２の前記透光部１４１、及び結合区域を除外した区域にインキ、製品のトレードマーク、或いは製品番号等を印刷することもできる。
【００２８】
前記弾性要素１６は、スプリング、或いは弾性を有する連接部材である。本実施形態において、前記弾性要素１６は、トーションスプリングである。前記弾性要素１６の一端にリング部１６１を形成し、他端に鉤部１６３を形成する。上述したように、前記リング部１６１は、前記スライド要素１２の固定ピン１２７に套設され、前記鉤部１６３は、保護カバー１４の貫通孔１４３に挿入される。前記弾性要素１６が前記スライド要素１２に駆動力を提供することによって、前記スライド要素１２の弾性摺動を実現する。本発明のスライド要素１２の２つの走行部１２３の摺動性能が優れるため、保護カバーに対して滑らかに摺動することができ、且つ２つの走行部１２の破損も生じ難くなり、使用効果が最も優れる。
【００２９】
本発明に係るスライド機構１００のスライド要素１２は、本体１０の第一端部１０４と区画部１０６との間で往復摺動することができる。スライド要素１２が、本体１０の区画部１０６の側に位置する場合、使用者が操作部１２５を介して前記スライド要素１２に第一端部１０４に向かう推進力を提供すれば、弾性要素１６に、前記スライド要素１２を前記第一端部１０４へ移動させる駆動力が働くため、前記スライド要素１２は、前記第一端部１０４へ移動する。この時、使用者が提供する推進力を除去しても、前記スライド要素１２は、前記弾性要素１６の駆動力によって、継続して前記第一端部１０４へ移動する。前記スライド要素１２の遮蔽部１２１が前記第一端部１０４に接触すると、前記スライド要素１２の摺動が停止し、且つ前記保護カバー１４の透光部１４１が露出し、内蔵カメラのスイッチが、前記スライド要素１２の長状部によってオン状態にされることによって、使用者は撮影を行うことができる。
【００３０】
本発明に係るスライド機構１００の、スライド要素１２の走行部１２３、及び遮蔽部１２１は、異なる材料を、射出成型して形成される一体成型体である。前記走行部１２３の材料としては、摺動性能に優れ、且つ化学的に金属処理して電気めっきを施すことができない、ポリカーボネートとポリ四フッ化エチレンとの混合物、或いはポリカーボネートとシリコンオイルとの混合物を採用するから、本体１０及び保護カバー１４に対する、前記スライド要素１２の摩擦係数が最も小さくなって、前記スライド要素１２は、滑らかに摺動し、摺動する時の２つの走行部１２の破損が生じ難くなり、使用効果が最も優れる。
【００３１】
本発明のスライド機構１２において、遮蔽部１２１は、化学的に金属処理して電気めっきを施すことができる、アクリロニトリル・ブタジエン・スチレン共重合体、或いはアクリロニトリル・ブタジエン・スチレン共重合体とポリカーボネートとの混合物を採用するが、走行部１２３は、化学的に金属処理して電気めっきを施すことができない材料を採用するから、前記遮蔽部１２１に対して電気めっきを施す場合、前記走行部１２３に対して電気めっき防止処理を施す必要がなく、従って後工程である、電気めっき防止層の剥離工程も省略することができ、前記スライド機構１２の生産コストを低くする。
【００３２】
以上、本発明の好適な実施例について詳細に説明したが、本発明は前記実施形態に限定されるものではなく、本発明の範囲内で種々の変形、又は修正が可能であり、該変形、又は修正も本発明の特許請求の範囲内に含まれるものであることはいうまでもない。
【符号の説明】
【００３３】
１０      本体
１００    スライド機構
１０１    第一窓部
１０２    側壁
１０２２  第一窓部壁
１０２４  第一窓部壁
１０２６  結合帯
１０２７  連結壁
１０２８  スライドレール
１０３    第二窓部
１０６    区画部
１０８    第二端部
１２      スライド要素
１２１    遮蔽部
１２３    走行部
１２５    操作部
１２７    固定ピン
１２９    長状部
１４      保護カバー
１４０    第一表面
１４１    透光部
１４２    第二表面
１４３    貫通孔
１４５    結合区域
１４６    欠口部
１６      弾性要素
１６１    リング部
１６３    鉤部
【図１】
0005290817.tif 000002
【図２】
0005290817.tif 000003
【図３】
0005290817.tif 000004
【図４】
0005290817.tif 000005